(57)【特許請求の範囲】
【請求項１】
二つの無線局が通信内容をスクランブルコードでスクランブルしてディジタル通信方式で通信を行い、その通信中にスクランブルコードを変更する方法において、
一方の無線局から上記通信中に他の乱数および／又はオリジナルコードを使用する旨の乱数／オリジナルコード指定信号を他方の無線局へ送信し、
上記乱数および／又はオリジナルコード指定信号を受信した他方の無線局はその指定された乱数とオリジナルコードとによりスクランブルコードを生成し、
その後、スクランブルコード生成終了信号を上記一方の無線局へ送信し、
そのスクランブルコード生成終了信号を受信した上記一方の無線局は通信を中断して同期確立用信号を上記他方の無線局へ送信し、
その他方の無線局が再度同期を取り直した後に、上記生成したスクランブルコードで通信を行うことを特徴とする通信中のスクランブルコード変更方法。
【発明の詳細な説明】
【０００１】
【産業上の利用分野】
この発明はスクランブルコードにより通信内容をスクランブルし、ディジタル通信方式により通信を行う無線通信における通信中にスクランブルコードを変更する方法に関する。
【０００２】
【従来の技術】
図３Ａに一般的な移動通信システムの構成を示す。基地局１０２がカバーするゾーン（サービスエリア）１０３内を移動する移動局１０４は基地局１０２と無線チャネルを介して通信を行う。基地局１０２は交換局１０５と通信を伝送する通信回線１０６と、制御信号を伝送する制御回線１０７とを通じて接続され、また移動局１０４との同期の確立／無線フレームの生成／暗号化などの処理を行っている。移動局１０４と基地局１０２とでは通信チャネルに移行する前に、基地局１０２は乱数を移動局１０４へ送り、基地局１０２および移動局１０４ではそれぞれ記憶しているその移動局のオリジナルコードと前記乱数とにより暗号化演算を行って、通信に使用するスクランブルコードを生成して、基地局１０２と移動局１０４とは同一のスクランブルコードを同時に使用する。
【０００３】
このように従来においては制御チャネルから通信チャネルにチャネルを切替える時に、通信に使用するスクランブルコードを生成し、それを同時に使用している。
【０００４】
【発明が解決しようとする課題】
通信中に同一スクランブルコードを継続して使用していることは安全性の点から好ましくない。この点から通信中においてスクランブルコードを変更することが好ましい。従来においては通信チャネルへ切替える時に新たなスクランブルコードを用いているから、通信中においても図３Ｂに示すように基地局から強制的に他の通信チャネルへの切替えを行い、スクランブルコードを通信中に変更することが考えられる。しかし空通信チャネルが存在しない場合はチャネル切替えによりスクランブルコードの変更をすることはできない。また干渉等の要因によりチャネル切替えが失敗した場合はスクランブルコードの変更をすることができない。
【０００５】
この発明の目的は無線局での回線使用状況およびチャネル干渉状況に拘わらず通信中にスクランブルコードの変更を可能とする通信中のスクランブルコード変更方法を提供することにある。
【０００６】
【課題を解決するための手段】
この発明によれば一方の無線局から通信中に乱数および／又は指定したオリジナルコードを他方の無線局へ送信し、その乱数および／又は指定したオリジナルコードを受信した他方の無線局はその乱数および指定されたオリジナルコードを用い、又はその乱数と保持しているオリジナルコードあるいは保持している乱数とその指定されたオリジナルコードとを用いてスクランブルコードを生成し、その後、スクランブルコード生成終了信号を前記一方の無線局へ送信する。そのスクランブルコード生成終了信号を受信したその一方の無線局は通信を中断して同期確立用信号を他方の無線局へ送信する。その結果その他方の無線局では同期が外れ、再度同期を取り直した後、先に生成したスクランブルコードで通信を行う。
【０００７】
【作用】
つまりこの発明は通信中のチャネルの同期を取り直すことにより二つの無線局間でスクランブルコードを同時に変更することになる。従って空通信チャネルの有無に拘わらず通信中スクランブルコードの変更ができ、また干渉などが生じても再び同様の手順を繰返すことによりスクランブルコードを変更することができる。
【０００８】
【実施例】
図１Ａにこの発明を移動通信に適用した場合に用いられる基地局の構成例を示す。変調回路３０１は無線信号の送出処理を行い、復調回路３０２は無線信号の受信処理を行う。送信クロック発生器３０３よりのクロック信号はフレーミング回路３０４へ供給され、通信信号および制御信号をフレーム化するために用いられ、そのフレーム化された信号は変調回路３０１へ供給される。復調回路３０２よりの復調出力はデフレーミング回路３０５でフレーム化された信号から通信信号や制御信号が抽出される。制御回路３０６は乱数の生成、スクランブルコードの生成、移動局への乱数指定などの制御を行い、メモリ３０７，３０８に記憶されている同一移動局に対する異なった移動局オリジナルコードを読み出したり書き込んだりすることができる。この例は各移動局がそれぞれ移動局オリジナルコードを二つもっている場合である。同期確立用信号処理部３０９は制御回路３０６からの指令により同期確立用信号の送受信処理を行う。
【０００９】
前記基地局と対応した移動局の構成例を図１Ｂに示す。移動局も変調回路４０１、復調回路４０２、送信クロック発生器４０３、フレーミング回路４０４、デフレーミング回路４０５、制御回路４０６、メモリ４０７，４０８、同期確立用信号処理部４０９を備え、これらは基地局の同一名称の部分とそれぞれ同様な機能をもっている。制御回路４０６は基地局から乱数および移動局オリジナルコードを指定された場合にスクランブルコードを生成し、その生成終了を基地局へ通知する制御も行う。メモリ４０７，４０８内の各移動局オリジナルコードは基地局のメモリ３０７，３０８内の各鍵と同一である。通信内容のスクランブルはフレーミング回路３０４，４０４で行い、デスクランブルはデフレーミング回路３０５，４０５で行う。
【００１０】
この発明により通信中でのスクランブルコードの変更を移動通信に適用した場合の手順を図２を参照して説明する。
移動局および基地局では通信開始時にメモリ３０７（４０７）の移動局オリジナルコードを使用してスクランブルコードを生成し、そのスクランブルコードを用いて通信信号および制御信号に対するスクランブル処理を行っているとする。
【００１１】
スクランブルコードの変更を決定した基地局では乱数を発生する（５０５）と共に、他の移動局オリジナルコード３０８（４０８）を使用する旨の乱数／オリジナルコード指定信号５０１を移動局へ通知する。またその乱数とオリジナルコードとを用いてスクランブルコード生成処理を行う（５０９）。
この通知を受信した移動局ではその指定された乱数とメモリ４０８の移動局オリジナルコードとを用いてスクランブルコードを生成し（５０６）、その後、基地局へスクランブルコード生成終了信号５０２を送出する。
【００１２】
このスクランブルコード生成終了信号を受信した基地局では、通信信号に代えて同期確立用信号５０３の送出を開始する。
移動局では基地局からの通信信号が断になったため、同期外れが検出され（５０７）、これより同期確立モードになり、この状態で基地局から送られて来る同期確立用信号５０４を受信して再同期処理（５０８）が行われる。
【００１３】
この再同期処理が完了し、基地局との同期が再び確立すると、スクランブルコード生成処理５０６で生成したスクランブルコードを使用して通信内容をスクランブルして通信を行う。基地局もスクランブルコード生成処理（５０９）で生成したスクランブルコードを用いる。このようにして通信中にスクランブルコードの変更が行われる。
【００１４】
基地局では乱数／オリジナルコード指定信号５０１を送信後、干渉／弱電界などの要因により、信号５０１が移動局で受信されなかったり、スクランブルコード生成終了信号５０２が基地局で所定時間経過しても受信されなかったりすると、基地局では再び乱数／オリジナルコード指定信号５０１を送信してスクランブルコード変更処理を最初から繰返す。
【００１５】
乱数／オリジナルコード指定信号５０１、スクランブルコード生成終了信号５０２は一般に情報要素が多いため、その再送等を行うと信号の授受に時間がかかり、その間に干渉／弱電界等の原因により同期外れが発生した場合、移動局では基地局で同期確立用信号５０３を送信していないのに、これを送信したものと処理して誤動作する危険がある。
【００１６】
このような危険を避けるには、例えば基地局ではスクランブルコード生成終了信号５０２の受信後に再同期予告信号を移動局へ送信し、移動局ではこの再同期予告信号を受信するまでは同期外れが生じてもスクランブルコードを変更しないようにすればよい。
上述において基地局、移動局で移動局オリジナルコードを１個だけ保持して、スクランブルコードの変更時に、基地局から乱数だけを変更して送信し、その乱数と１つの共通の移動局オリジナルコードとで新たなスクランブルコードを作ってもよい。また複数の移動局オリジナルコードを保持し、スクランブルコード変更時に、移動局オリジナルコードを指定してこの指定されたオリジナルコードと、最初に基地局から受けた乱数とからスクランブルコードを作ってもよい。上述ではこの発明を移動通信に適用したが固定通信に適用することもできる。
【００１７】
【発明の効果】
以上述べたようにこの発明によれば、同期を再確立することによりスクランブルコードを変更しているため、空通信チャネルがなくても、干渉などがあっても、通信中にスクランブルコードを変更することができる。
【図面の簡単な説明】
【図１】Ａはこの発明を移動通信に適用した場合に用いられる基地局の構成例を示すブロック図、ＢはＡの基地局と対応する移動局の構成例を示すブロック図である。
【図２】この発明の実施例の処理手順を示す図。
【図３】Ａは移動通信システム一般的構成を示すブロック図、Ｂは従来のスクランブルコード変更方法の手順を示す図である。
【図１】
0003550165.tif 000002
【図２】
0003550165.tif 000003
【図３】
0003550165.tif 000004